(57)【要約】【課題】  多様な指示を低い誤検出率で入力でき、低価格化を図ることができる電子機器を提供する。【解決手段】  指に嵌めたリングＲ１〜４とＲ０との接触、並びにリングＬ１〜４とＬ０との接触に予めコマンドを割り当てる。オーディオ再生装置は、上記リングの接触パターンを電気的に検出し、その接触パターンに応じたコマンドを自動的に実行する。【選択図】  図３
2006293210.tif 000002
【特許請求の範囲】
【請求項１】
複数の導電性リングと、
前記複数の導電性リング間の接触を電気的に検出する検出手段と、
前記検出手段の検出結果に基づいて処理を行う処理手段と
を有する電子機器。
【請求項２】
複数の前記導電性リングの接触パターンと、コマンドとの対応関係を示す管理データを記憶するメモリ
をさらに有し、
前記処理手段は、前記検出結果を基に複数の前記導電性リングの接触パターンを特定し、当該特定した接触パターンに対応付けられた前記コマンドを前記管理データから取得し、当該取得したコマンドに対応した処理を行う
請求項１に記載の電子機器。
【請求項３】
前記処理手段は、前記検出結果に基づいて複数の前記導電性リングの接触パターンを特定し、当該特定した接触パターンを応じて、オーディオデータの再生、オーディオデータの記録、スキップ、バックスキップ、早送り、音量の増加、音量の減少の少なくとも一つの処理を行う
請求項１に記載の電子機器。
【請求項４】
親指に装着される第１の前記導電性リングと、
親指以外の指に装着される複数の第２の前記導電性リングと
を有し、
前記検出手段は、前記第１の導電性リングと、前記複数の第２の導電性リングとの間の接触を電気的に検出する
請求項１に記載の電子機器。
【請求項５】
前記処理手段は、前記検出結果に基づいて、音を発生する処理を行う
請求項１に記載の電子機器。
【請求項６】
前記処理手段は、記録媒体からオーディオデータを読み出して再生出力処理を行い、当該再生出力処理と並行して、前記発生した音のオーディオデータを、前記再生出力処理した前記オーディオデータと関連付けて前記記録媒体に書き込む
請求項４に記載の電子機器。
【請求項７】
前記複数の導電性リングの各々は、導電性部と非導電性部とを有し、
前記複数の導電性リングの各々の前記非導電性部は、他の前記導電性リングの前記非導電性部との衝突により、固有の音を発する形状を有している
請求項１に記載の電子機器。
【請求項８】
前記処理手段は、前記検出結果に基づいて複数の前記導電性リングの接触パターンを特定し、当該特定した接触パターンを応じて、オーディオ再生の早送り、オーディオ再生の巻き戻し、テンポアップ、テンポダウン、フェードアップ、フェードダウン、イコライザーアップ、イコライザダウンの少なくとも一つの処理を行う
請求項１に記載の電子機器。
【請求項９】
指に装着された複数の導電性リングの接触を電気的に検出する第１の工程と、
前記第１の工程の前記検出の結果に基づいて、前記複数の導電性リングの前記複数の導電性リング間の接触パターンに対応付けられた処理を特定する第２の工程と、
前記第２の工程で特定した前記処理を実行する第３の工程と
を有するデータ処理方法。
【発明の詳細な説明】
【技術分野】
【０００１】
本発明は、指に装着可能な複数のリングを用いて指示を発行する電子機器およびデータ処理方法に関する。
【背景技術】
【０００２】
例えば、加速度センサを内蔵したバンドを手首に装着し、手の指先で所定物を叩く動作を上記バンド内の加速度センサが検出し、その検出結果を基に、コマンドを発生する入力装置がある。
【０００３】
【特許文献１】特開２００４−５４０２３号公報
【発明の開示】
【発明が解決しようとする課題】
【０００４】
このような入力装置は、各指がどのような叩き動作を行ったかを加速度センタの検出信号を分析して検出するが、処理が複雑であり、誤検出しやすいという問題がある。
また、上述した入力装置では、複数の加速度センサを用いる必要があり、また、その検出信号の分析にも高性能な演算回路を要し、高価格であるという問題がある。
【０００５】
本発明は上述した従来技術の問題点を解決するために、多様な指示を低い誤検出率で入力でき、低価格化を図ることができる電子機器およびデータ処理方法を提供することを目的とする。
【課題を解決するための手段】
【０００６】
上述した従来技術の問題点を解決し、上述した目的を達成するため、第１の観点の発明の電子機器は、複数の導電性リングと、前記複数の導電性リング間の接触を電気的に検出する検出手段と、前記検出手段の検出結果に基づいて処理を行う処理手段とを有する。
【０００７】
第１の観点の発明の電子機器は、好ましくは、複数の前記導電性リングの接触パターンと、コマンドとの対応関係を示す管理データを記憶するメモリをさらに有し、前記処理手段は、前記検出結果を基に複数の前記導電性リングの接触パターンを特定し、当該特定した接触パターンに対応付けられた前記コマンドを前記管理データから取得し、当該取得したコマンドに対応した処理を行う。
【０００８】
第２の観点の発明のデータ処理方法は、指に装着された複数の導電性リングの接触を電気的に検出する第１の工程と、前記第１の工程の前記検出の結果に基づいて、前記複数の導電性リングの前記複数の導電性リング間の接触パターンに対応付けられた処理を特定する第２の工程と、前記第２の工程で特定した前記処理を実行する第３の工程とを有する。
【発明の効果】
【０００９】
本発明によれば、多様な指示を低い誤検出率で入力でき、低価格化を図ることができる電子機器およびデータ処理方法を提供することができる。
【発明を実施するための最良の形態】
【００１０】
以下、本発明の実施形態に係わるオーディオ再生装置を説明する。
図１に示すリングＲ０〜４，Ｌ０〜４が本発明の導電性リングの一例である。
また、図５に示すＣＰＵ３０のステップＳＴ１１等によって本発明の検出手段の一例が構成され、ステップＳＴ１２，ＳＴ１３等によって本発明の処理手段の一例が構成される。
また、ＳＤＲＡＭ１２が本発明のメモリの一例であり、対応表データＴＡＢＬＥ，ＴＡＢＬＥａ，ｂ，ｃが本発明の管理データの一例である。
また、図５に示すステップＳＴ１１が本発明の第１の工程の一例であり、ステップＳＴ１２が本発明の第２の工程の一例であり、ステップＳＴ１３が本発明の第３の工程の一例である。
【００１１】
＜第１実施形態＞
図１は、本発明の実施形態に係わる再生装置１の構成図である。
再生装置１は、例えば、携帯型のオーディオ再生装置である。
図１に示すように、オーディオ再生装置１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、オーディオ出力回路１８、インタフェース２５、リングＲ０〜４、リングＬ０〜４、並びにＣＰＵ(Central Processing Unit) ３０を有する。
ＵＳＢインタフェース１１、ＳＤＲＡＭ１２、ＨＤＤ１３、フラッシュメモリ１６、ＣＰＵ３０およびオーディオ出力回路１８は、例えば、データ線１０を介して接続されている。
【００１２】
ＵＳＢインタフェース１１は、パーソナルコンピュータ３と着脱可能な状態で接続され、パーソナルコンピュータ３との間でデータ入出力を行う。
ＳＤＲＡＭ１２は、ＣＰＵ３０の処理に係わるデータ等を一時的に記憶する。
ＳＤＲＡＭ１２は、図２に示すように、後述するように、リングの接触パターンと、コマンドとを対応付けて示す対応表データＴＡＢＬＥを記憶する。
また、本実施形態では、図３に示すように、リングＲ０〜４およびリングＬ０〜４がユーザの指に装着される。
対応表データＴＡＢＬＥは、図２および図３に示すように、リングＲ０とＲ１との接触にコマンド「再生開始」を対応付け、リングＲ０とＲ２との接触にコマンド「スキップ」を対応付け、リングＲ０とＲ３との接触にコマンド「バックスキップ」を対応付け、リングＲ０とＲ４との接触にコマンド「停止」を対応付け、リングＬ０とＬ１との接触にコマンド「早送り」を対応付け、リングＬ０とＬ２との接触にコマンド「音量増加」を対応付け、リングＬ０とＬ３との接触にコマンド「音量減少」を対応付けている。
本実施形態では、図２に示すように、コマンドの優先順位を再生開始、ステップ、バックスキップ、停止の順とし、これらを操作し易い右人差し指から、右中指、右薬指、小指に順に割り当てる。
また、図２に示すように、コマンドの優先順位を早送り、音量増加、音量減少、記録開始とし、これらを操作し易い順に左人差し指、左中指、左薬指に順に割り当てる。
これにより、オーディオ再生装置１のユーザによる操作性を高めることができる。
【００１３】
ＨＤＤ１３は、圧縮された楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transfrom Acoustic Coding)３、ＭＰ３(Mpeg Audio Layer-3)、ＡＡＣ（Advanced Audio Coding）等で圧縮された約１００００曲（コンパクトディスク７００枚分）の楽曲データを記憶可能である。
【００１４】
ＬＣＤパネル１４は、例えば、選曲画面、設定画面および再生画面などを、ユーザのキー操作に応じて切り替えて表示する。
【００１５】
入力デバイス１５は、再生装置１の筐体に設けられ、ユーザによって操作される種々のキーである。
入力デバイス１５としては、例えば、操作ボタン（キー）がある。
【００１６】
フラッシュメモリ１６は、例えば、ＣＰＵ３０の動作を規定したプログラムＰＲＧを記憶する。
【００１７】
オーディオ出力回路１８は、ＣＰＵ３０が復号した楽曲データに応じたオーディオ信号をヘッドフォン端子２１に出力する。
なお、オーディオ出力回路１８は、外部スピーカ端子を介して外部スピーカにオーディオ信号を出力してもよい。
【００１８】
インタフェース２５は、電線３２Ｒを介してリングＲ０に電気信号を出力し、電線３２Ｒを介してリングＲ０から電気信号ＳＲを入力する。
ここで、リングＲ０〜Ｒ４は、導電性のリングであり、図３に示すようにユーザの指に嵌められる。
リングＲ１〜Ｒ４は、リングＲ０と接触したときに、異なる電流の電気信号ＳＲがインタフェース２５に出力される形状（厚みや太さ等）を有している。
これにより、ＣＰＵ３０は、インタフェース２５を介して入力した電気信号ＳＲの電流を監視および検出することで、リングＲ１〜Ｒ４のうち何れのリングがリングＲ０と接触したかを判断できる。
図４に示す例では、リングＲ０とＲ１とが接触している。
【００１９】
インタフェース２５は、電線３２Ｌを介してリングＬ０に電気信号を出力し、電線３２Ｌを介してリングＬ０から電気信号ＳＬを入力する。
ここで、リングＬ０〜Ｌ４は、導電性のリングであり、図３に示すようにユーザの指に嵌められる。
リングＬ１〜Ｌ４は、リングＬ０と接触したときに、異なる電流の電気信号ＳＬがインタフェース２５に出力される形状（厚みや太さ等）を有している。
これにより、ＣＰＵ３０は、インタフェース２５を介して入力した電気信号ＳＬの電流を監視および検出することで、リングＬ１〜Ｌ４のうち何れのリングがリングＬ０と接触したかを判断できる。
図４に示す例では、リングＬ０とＬ２とが接触している。
【００２０】
インタフェース２５と、リングＬ０，Ｒ０との間の電気信号の送受信は、有線ではなく無線でもよい。
この場合に、インタフェース２５、並びにリングＬ０，Ｒ０に、無線送受信器を備える。
【００２１】
ＣＰＵ３０は、フラッシュメモリ１６から読み出したプログラムＰＲＧを基に、再生装置１の動作を統括的に制御する。
ＣＰＵ３０は、インタフェース２５から、電線３２Ｒ，３２Ｌを介して入力した電気信号ＳＲ，ＳＬの電流値を基に、リングＲ０とリングＲ１〜Ｒ４、あるいはリングＬ０とリングＬ１〜Ｌ４の何れのパターンの接触が行われたか否かを判断する。
そして、ＣＰＵ３０は、上記特定した接触パターンに対応するコマンドを、図２に示す対応表データＴＡＢＬＥを基に特定する。
そして、ＣＰＵ３０は、上記特定したコマンドに応じた機能を実行する。
【００２２】
ＣＰＵ３０は、コマンド「再生開始」に応じて、ＨＤＤ１３から読み出した楽曲データを復号してオーディオ出力回路１８に出力する（再生する）。
ＣＰＵ３０は、コマンド「スキップ」に応じて、再生中の楽曲データの次の楽曲データをＨＤＤ１３から読み出して復号し、オーディオ出力回路１８に出力する。
ＣＰＵ３０は、コマンド「バックスキップ」に応じて、再生中の楽曲データ復号を先頭からやり直す。
ＣＰＵ３０は、コマンド「停止」に応じて、楽曲データの再生を停止する。
ＣＰＵ３０は、コマンド「早送り」に応じて、楽曲データの再生を早送りする。
ＣＰＵ３０は、コマンド「音量増加」に応じてオーディオ出力回路１８がヘッドフォン端子２１に出力するオーディオ信号の増幅率を増加させる。
ＣＰＵ３０は、コマンド「音量減少」に応じてオーディオ出力回路１８がヘッドフォン端子２１に出力するオーディオ信号の増幅率を減少させる。
ＣＰＵ３０は、コマンド「記録開始」に応じて、所定のマイクから入力したデータやユーザの操作に応じて発声したデータをＨＤＤ１３に書き込む。
【００２３】
以下、図１に示すオーディオ再生装置１の動作例を説明する。
図５は、図１に示すオーディオ再生装置１の動作例を説明するためのフローチャートである。
ステップＳＴ１１：
ユーザは、図３に示すように、右親指、右人差し指、右中指、右薬指、右小指に、それぞれリングＲ０，Ｒ１，Ｒ２，Ｒ３，Ｒ４を装着する。
ユーザは、図３に示すように、左親指、左人差し指、左中指、左薬指、左小指に、それぞれリングＬ０，Ｌ１，Ｌ２，Ｌ３，Ｌ４を装着する。
そして、ユーザは、自らが希望するコマンドに応じて、リングを接触させる。
例えば、ユーザは、コマンド「再生開始」を入力する場合に、図４に示すように、リングＲ０とＲ１とを接触させる。
ＣＰＵ３０は、インタフェース２５を介してリングＲ０、Ｌ０から入力した電気信号ＳＲ，ＳＬを監視し、リングが接触したと判断すると、何れのリングが接触したかを判定してステップＳＴ１２に進む。
【００２４】
ステップＳＴ１２：
ＣＰＵ３０は、ステップＳＴ１２で判定した接触したリングに対応するコマンドを、図１に示すＳＤＲＡＭ１２に記憶された図２に示す対応表データＴＡＢＬＥを参照して特定する。
【００２５】
ステップＳＴ１３：
ＣＰＵ３０は、ステップＳＴ１２で特定したコマンドに対応した処理を実行する。
ＣＰＵ３０は、例えば、コマンド「再生開始」に応じて、ＨＤＤ１３から読み出した楽曲データを復号してオーディオ出力回路１８に出力する（再生する）。
【００２６】
以上説明したように、オーディオ再生装置１では、リングＲ０とＲ１〜４、並びにリングＬ０とＬ１〜４の接触パターンにより、当該接触パターンと予め対応付けたコマンドの処理を実行する。
このとき、リングは、指に装着され、ユーザによって接触動作が行われ、オーディオ再生装置１は、その接触動作によって生じる電気信号ＳＲ，ＳＬの変化を基に接触パターンを検出する。そのため、従来に比べて、検出が簡単であり、誤検出を少なくでき、且つ構成を簡単（安価）にできる。
オーディオ再生装置１は、例えば、図６に示すように、図１に示すヘッドフォン端子２１に接続されるヘッドフォン８０をユーザの耳に装着して使用される。
【００２７】
＜第１実施形態の変形＞
１本の指に複数のリングを装着してもよい。これにより、組み合わせパターンを増やすことができる。１本の指に装着するリングの数は、例えば、１〜３のいずれかである。
例えば、図７に示すように、右人差し指にリングＲ１とＲ１１を装着し、右中指にリングＲ２とＲ１２とを装着し、右薬指にリングＲ３とＲ１３とを装着し、右薬指にリングＲ４とＲ１４とを装着してもよい。
【００２８】
＜第２実施形態＞
本実施形態のオーディオ再生装置１ａは、ＣＰＵ３０がＨＤＤ１３から楽曲データを読み出して復号し、これをオーディオ出力回路１８に出力している最中に（再生中に）、リングＲ０とＲ１〜４、並びにリングＬ０とＬ１〜４が接触すると、その接触パターンを特定し、その特定した接触パターンに応じた音をオーディオ出力回路１８に出力させる。
【００２９】
本実施形態では、ＳＤＲＡＭ１２は、図８に示す対応表データＴＡＢＬＥａを記憶している。
図８に示すように、対応表データＴＡＢＬＥａは、リングの接触パターンと、コマンドとを以下に示すように対応付けて示している。
対応表データＴＡＢＬＥａは、図８に示すように、リングＲ０とＲ１との接触にコマンド「ソの出力」を対応付け、リングＲ０とＲ２との接触にコマンド「ラの出力」を対応付け、リングＲ０とＲ３との接触にコマンド「シの出力」を対応付け、リングＲ０とＲ４との接触にコマンド「ドの出力」を対応付け、リングＬ０とＬ１との接触にコマンド「ファの出力」を対応付け、リングＬ０とＬ２との接触にコマンド「ミの出力」を対応付け、リングＬ０とＬ３との接触にコマンド「レの出力」を対応付け、リングＬ０とＬ４との接触にコマンド「ドの出力」を対応付けている。
なお、リングの接触パターンによっては和音の出力も可能である。
【００３０】
図９は、本実施形態のオーディオ再生装置１ａの動作例を説明するためのフローチャートである。
以下、図９の各ステップを説明する。
ステップＳＴ２１：
ＣＰＵ３０ａは、インタフェース２５を介してリングＲ０、Ｌ０から入力した電気信号ＳＲ、ＳＬを監視し、リングＲ０とＲ１〜４、並びにリングＬ０とＬ１〜４との接触パターンを特定すると、ステップＳＴ２２に進む。
【００３１】
ステップＳＴ２２：
ＣＰＵ３０ａは、図８に示す対応表データＴＡＢＬＥａを参照して、ステップＳＴ２１で特定した接触パターンに対応する音を特定する。
ステップＳＴ２３：
ＣＰＵ３０ａは、ＨＤＤ１３に記憶されている楽曲データを再生中であるか否かを判断し、再生中であると判断するとステップＳＴ２４に進み、そうでない場合にステップＳＴ２５に進む。
【００３２】
ステップＳＴ２４：
ＣＰＵ３０ａは、例えば、上記再生中の楽曲データに、ステップＳＴ２２で特定した音のデータをその音が出力されたタイミングで混合し、新たな楽曲データを生成する。
【００３３】
ステップＳＴ２５：
ＣＰＵ３０ａは、ステップＳＴ２４で生成した新たな楽曲データの再生出力をオーディオ出力回路１８に行わせる。
ステップＳＴ２６：
ＣＰＵ３０ａは、録音モードであるか否かを判断する。
当該録音モードは、例えば、ユーザによる入力デバイス１５の操作によって設定される。
【００３４】
ステップＳＴ２７：
ＣＰＵ３０ａは、ステップＳＴ２４で生成した新たな楽曲データをＨＤＤ１３に書き込む。
なお、ＣＰＵ３０ａは、例えば、ステップＳＴ２２で特定した音を出力する新たな楽曲データを生成し、それを再生中の楽曲データに対応付けてＨＤＤ１３に書き込んでもよい。
ここで、ＣＰＵ３０は、再生処理において、ＨＤＤ１３に記憶されている所定量（３０分）の楽曲データを予めＨＤＤ１３から読み出して、例えば、ＳＤＲＡＭ１２に書き込み、その後、ＳＤＲＡＭ１２から読み出して再生処理を行う。そのため、ステップＳＴ２７におけるＨＤＤ１３への書き込み動作と、読み出し動作とが競合しないようにできる。
【００３５】
以上説明したように、オーディオ再生装置１ａによれば、ＨＤＤ１３に記憶された楽曲データの再生処理と、その再生処理中にユーザによって行われたリングの接触動作による音出力処理と、リングの接触動作によって生成された音をＨＤＤ１３に書き込む処理とを並行して行うことができる。
【００３６】
＜第２実施形態の変形例＞
ここで、図３に示すリングＲ０〜４、Ｌ０〜４は、例えば、図１０に示すように、周方向に半分が導電性部Ｅ，残りの半分が非導電性部ＮＥになるように構成してもよい。
ここで、非導電性部ＮＥは、他のリングの非導電性部ＮＥとの衝突により、固有の音を発する形状を有している。
非導電性部ＮＥは、例えば、その厚みや素材などによって、木琴や鉄琴と同様の原理で、固有の音を出すように構成される。
リングを上述したように構成することで、ユーザは、ヘッドフォンから音を出力する場合には、リングの導電性部Ｅが他のリングの導電性部Ｅと接触する回転位置でリングを指に装着する。
一方、ユーザは、ヘッドフォンではなく実際に音を出力する場合には、リングの非導電性部ＮＥが他のリングの非導電性部ＮＥと接触する回転位置でリングを指に装着する。
【００３７】
＜第３実施形態＞
図１１は、本発明の実施形態に係わるオーディオ再生装置１ｂの構成図である。
図１１に示すように、オーディオ再生装置１ｂは、図１に示すオーディオ再生装置１に、スピーカ３１とオーディオ出力回路３８とを加えた構成を有している。
図１１において、図１と同じ符号を付した構成は、第１実施形態で説明したものと同じである。
【００３８】
オーディオ再生装置１ｂは、ＤＪ（ディスク・ジョッキー）が行う動作をユーザがリングＲ０〜４、Ｌ０〜４を接触させて、コマンドを発行し、当該コマンドにより、オーディオ出力回路１８を介してヘッドフォン端子２１から出力している楽曲データを切り換える場合を説明する。
この場合には、ＣＰＵ３０ｂは、予めＨＤＤ１３からＳＤＲＡＭ１２に２曲以上の楽曲データを読み出す。
そして、ＣＰＵ３０ｂは、例えば、ＳＤＲＡＭ１２から第１の楽曲データを読み出して復号し、オーディオ出力回路１８に右のヘッドフォンから出力させる。
また、それと並行して、ＣＰＵ３０ｂは、例えば、ＳＤＲＡＭ１２から第２の楽曲データを復号し、オーディオ出力回路１８に左のヘッドフォンから出力させる。
本実施形態では、ＣＰＵ３０ｂは、オーディオ出力回路３８がスピーカ３１に出力するオーディオ信号を第１の楽曲データから第２の楽曲データに切り換える。
【００３９】
本実施形態では、ＳＤＲＡＭ１２は、図１２に示す対応表データＴＡＢＬＥｂを記憶している。
図１２に示すように、対応表データＴＡＢＬＥｂは、リングの接触パターンと、コマンドとを以下に示すように対応付けて示している。
対応表データＴＡＢＬＥｂは、図１２に示すように、リングＲ０とＲ１との接触にコマンド「第２の楽曲データのテンポアップ」を対応付け、リングＲ０とＲ２との接触にコマンド「第２の楽曲データの早送り」を対応付け、リングＲ０とＲ３との接触にコマンド「第２の楽曲データのイコライザアップ」を対応付け、リングＲ０とＲ４との接触にコマンド「第２の楽曲データのフェードアップ」を対応付け、リングＬ０とＬ１との接触にコマンド「第２の楽曲データのテンポダウン」を対応付け、リングＬ０とＬ２との接触にコマンド「第２の楽曲データの巻き戻し」を対応付け、リングＬ０とＬ３との接触にコマンド「第２の楽曲データのイコライザダウン」を対応付け、リングＬ０とＬ４との接触にコマンド「第２の楽曲データのフェードダウン」を対応付けている。
【００４０】
ところで、リングの接触のうち、リングＲ０とＲ１，Ｌ０とＬ１との接触が一番操作し易い。また、操作のし易さは、リングＲ４からＲ１、並びにリングＬ４からＬ１に向かうに従って良くなる。
本実施形態では、図１２に示すように、ＤＪの操作で一番大事なテンポアップとテンポダウンとを、それぞれ操作性が１番よいリングＲ１，Ｌ１に割り当てる。これにより、ユーザは、ＤＪ操作を非常に行いやすい。
【００４１】
図１３は、本実施形態のオーディオ再生装置１ｂの動作例を説明するためのフローチャートである。
以下、図１３の各ステップを説明する。
ステップＳＴ３１：
ＣＰＵ３０ｂは、インタフェース２５を介してリングＲ０、Ｌ０から入力した電気信号ＳＲ、ＳＬを監視し、リングＲ０とＲ１〜４、並びにリングＬ０とＬ１〜４との接触パターンを特定すると、ステップＳＴ３２に進む。
【００４２】
ステップＳＴ３２：
ＣＰＵ３０ｂは、図１２に示す対応表データＴＡＢＬＥｂを参照して、ステップＳＴ３１で特定した接触パターンに対応するコマンドを特定する。
ステップＳＴ３３：
ＣＰＵ３０ｂは、ステップＳＴ３２で特定したコマンドに対応した処理（ＤＪ関連処理）を実行する。
これにより、ＣＰＵ３０ｂは、ＳＤＲＡＭ１２から読み出して復号する楽曲データの切り換え処理、オーディオ出力回路１８に出力する復号した楽曲データの切り換え処理、並びにオーディオ出力回路３８に出力する復号した楽曲データの切り換え処理を行う。
すなわち、ＣＰＵ３０ｂは、オーディオ出力回路３８に出力する楽曲データを、第１の楽曲データから第２の楽曲データに切り換える処理を行う。
【００４３】
ステップＳＴ３４：
ＣＰＵ３０ｂは、録音モードであるか否かを判断する。
当該録音モードは、例えば、ユーザによる入力デバイス１５の操作によって設定される。
ステップＳＴ３５：
ＣＰＵ３０ｂは、ステップＳＴ３２でオーディオ出力回路３８に出力した楽曲データをＨＤＤ１３に書き込む。
【００４４】
以上説明したように、オーディオ再生装置１ｂによれば、ユーザはリングＲ０とＲ１〜４の接触操作、並びにリングＬ０とＬ１〜４の接触操作により、従来に比べて、簡単且つ少ない誤検出で、ＤＪ操作を行うことが出来る。
【００４５】
＜第３実施形態の変形例＞
本実施形態では、第３実施形態で用いた図１２に示す対応表データＴＡＢＬＥｂの代わりに、図１４に示す対応表データＴＡＢＬＥｃを用いる。
図１４に示すように、対応表データＴＡＢＬＥｃは、リングの接触パターンと、コマンドとを以下に示すように対応付けて示している。
対応表データＴＡＢＬＥｃは、図１４に示すように、リングＲ１にコマンド「第１の楽曲データのテンポアップ・ダウン」を対応付け、リングＲ２にコマンド「第１の楽曲データの早送り・巻き戻し」を対応付け、リングＲ３にコマンド「第１の楽曲データのイコライザアップ・ダウン」を対応付け、リングＲ４とにコマンド「第１の楽曲データのボリュームアップ・ダウン」を対応付け、リングＬ１にコマンド「第２の楽曲データのテンポアップ・ダウン」を対応付け、リングＬ２にコマンド「第２の楽曲データの早送り・巻き戻し」を対応付け、リングＬ３にコマンド「第２の楽曲データのイコライザアップ・ダウン」を対応付け、リングＬ４にコマンド「第２の楽曲データのボリュームアップ・ダウン」を対応付けている。
【００４６】
本実施例では、ユーザは、親指にはリングＲ０，Ｌ０を嵌めない。
また、リングＲ１〜４およびリングＬ１〜４とインタフェース２５とが有線あるいは無線で通信する。
本実施形態では、ユーザは、例えば、リングＲ１〜４およびリングＬ１〜４を指に嵌めた状態で、右回転あるいは左回転させる。
ＣＰＵ３０ｃは、リングＲ１〜４およびリングＬ１〜４から入力した電気信号を基に、各リングの回転を検出し、回転方向に応じて、そのリングに割り当てられた機能をアップあるいはダウンする。
ここで、リングＲ１〜４およびリングＬ１〜４の各々は、指に装着した状態で右回転した場合と左回転した場合とでインタフェース２５に出力される電気信号のパターンが異なるような形状（厚さ等）および材料で構成されている。
【００４７】
本実施形態によれば、再生中の第１の楽曲データおよび第２の楽曲データの２つの楽曲データについて操作を行うことができる。
【００４８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した第１および第２実施形態において、各リングの接触に楽器（ドラム）の音の出力処理を割り当てても良い。
また、上述した実施形態において、各リングの接触に、文字や数字などの入力機能を持たせてもよい。
また、各リングの接触に、発声処理などを割り当ててもよい。
また、例えば、図１等に示すＣＰＵ３０は、図示しないマイクから入力した音を所定の振動パターンに変換し、リングを当該振動パターンで振動させてもよい。
【図面の簡単な説明】
【００４９】
【図１】図１は、本発明の第１実施形態のオーディオ再生装置の全体構成図である。
【図２】図２は、図１に示す対応表データＴＡＢＬＥを説明するための図である。
【図３】図３は、図１に示すリングの指への装着例を説明するための図である。
【図４】図４は、図３に示すリングの接触パターンの一例を説明するための図である。
【図５】図５は、図１に示すオーディオ再生装置の動作例を説明するためのフローチャートである。
【図６】図６は、図１に示すオーディオ再生装置の使用態様を説明するための図である。
【図７】図７は、本発明の第１実施形態の変形例を説明するための図である。
【図８】図８は、本発明の第２実施形態で用いる対応表データを説明するための図である。
【図９】図９は、本発明の第２実施形態の動作例を説明するための図である。
【図１０】図１０は、第２実施形態のリングの変形例を説明するための図である。
【図１１】図１１は、本発明の第３実施形態のオーディオ再生装置の全体構成図である。
【図１２】図１２は、図１１に示す対応表データを説明するための図である。
【図１３】図１３は、図１１に示すオーディオ再生装置の動作例を説明するためのフローチャートである。
【図１４】図１４は、本発明の第３実施形態の変形例を説明するための図である。
【符号の説明】
【００５０】
１，１ａ，１ｂ…オーディオ再生装置、１１…ＵＳＢインタフェース、１２…ＳＤＲＡＭ、１３…ＨＤＤ、１４…ＬＣＤパネル、１５…入力デバイス、１６…フラッシュメモリ、ＰＲＧ…プログラム、１８…オーディオ出力回路、２１…ヘッドフォン端子、２５…インタフェース、Ｒ０〜４，Ｌ０〜４…リング
【図１】
2006293210.tif 000003
【図２】
2006293210.tif 000004
【図３】
2006293210.tif 000005
【図４】
2006293210.tif 000006
【図５】
2006293210.tif 000007
【図６】
2006293210.tif 000008
【図７】
2006293210.tif 000009
【図８】
2006293210.tif 000010
【図９】
2006293210.tif 000011
【図１０】
2006293210.tif 000012
【図１１】
2006293210.tif 000013
【図１２】
2006293210.tif 000014
【図１３】
2006293210.tif 000015
【図１４】
2006293210.tif 000016